(57)【要約】【課題】近距離無線通信の汎用プロファイルにおいてその機能制御が規定されていない無線機における第２の機能を、専用のプロファイルを扱えない通信端末を用いて実現する。【解決手段】通信端末２は、無線機１における第１の機能に関する指示を受け付ける機能入力部２ｂと、無線機１との間でデータ通信を行うとともに、入力された指示を近距離無線通信を介して無線機１に送信する通信端末側近距離無線通信モジュール２ａとを備える。無線機１は、通信端末２との間でデータ通信を行うとともに、近距離無線通信を介して指示を受信する無線機側近距離無線通信モジュール４と、指示に基づいて機能制御を行う機能制御部１０、１１、５とを備える。機能制御部１０、１１、５は、指示を、第１の機能とは異なる無線機１における第２の機能に関する指示と見なして、第２の機能の制御を行う。【選択図】図１
2015177228.tif 000002
【特許請求の範囲】
【請求項１】
通信端末との間で近距離無線通信によるデータ通信を行うとともに、前記データ通信で送受するデータをさらに他の無線機との間で無線通信する無線機と、前記通信端末と、を備えた無線機装置であって、
前記通信端末は、
当該通信端末の操作者によって入力される前記無線機における第１の機能に関する指示を受け付ける機能入力部と、
前記無線機との間で前記データ通信を行うとともに、前記機能入力部に入力された前記指示を前記近距離無線通信を介して前記無線機に送信する通信端末側近距離無線通信モジュールと、
を備え、
前記無線機は、
前記通信端末との間で前記データ通信を行うとともに、前記近距離無線通信を介して前記指示を受信する無線機側近距離無線通信モジュールと、
前記無線機側近距離無線通信モジュールが受信する前記指示に基づいて機能の制御を行う機能制御部と、
を備え、
前記機能制御部は、前記指示を、前記第１の機能とは異なる当該無線機における第２の機能に関する指示と見なして、当該第２の機能の制御を行う、
ことを特徴とする無線機装置。
【請求項２】
前記第１の機能は、前記近距離無線通信の汎用プロファイルで規定されている機能であり、
前記第２の機能は、前記近距離無線通信の汎用プロファイルで規定されていない機能である、
ことを特徴とする請求項１に記載の無線機装置。
【請求項３】
前記通信端末は、前記無線機との間で近距離無線通信による音声通信を行う無線ヘッドセットであり、
前記データは音声データである、
ことを特徴とする請求項１または２に記載の無線機装置。
【請求項４】
前記機能制御部は、前記通信端末との間の通信開始時に、前記通信端末が前記第２の機能を規定している専用のプロファイルに準拠した機器であるか否かを判断したうえで、前記通信端末が前記専用のプロファイルに準拠していない機器であると判断すると、前記指示を、前記第１の機能とは異なる当該無線機における第２の機能に関する指示と見なして、当該第２の機能の制御を行う、
ことを特徴とする請求項１ないし３のいずれかに記載の無線機装置。
【請求項５】
通信端末との間で近距離無線通信によるデータ通信を行うとともに、前記データ通信で送受するデータを、さらに他の無線機との間で無線通信する無線機であって、
前記通信端末との間で前記データ通信を行うとともに、前記近距離無線通信を介して前記通信端末から当該無線機における第１の機能に関する指示を受信する無線機側近距離無線通信モジュールと、
前記無線機側近距離無線通信モジュールが受信する前記指示に基づいて機能の制御を行う機能制御部と、
を備え、
前記機能制御部は、前記指示を、前記第１の機能とは異なる当該無線機における第２の機能に関する指示と見なして、当該第２の機能の制御を行う、
ことを特徴とする無線機。
【請求項６】
前記第１の機能は、前記近距離無線通信の汎用プロファイルで規定されている機能であり、
前記第２の機能は、前記近距離無線通信の汎用プロファイルで規定されていない機能である、
ことを特徴とする請求項５に記載の無線機。
【請求項７】
前記通信端末は、前記無線機との間で近距離無線通信による音声通信を行う無線ヘッドセットであり、
前記データは音声データである、
ことを特徴とする、請求項５または６に記載の無線機。
【請求項８】
前記機能制御部は、前記通信端末との間の通信開始時に、前記通信端末が前記第２の機能を規定している専用のプロファイルに準拠した機器であるか否かを判断したうえで、前記通信端末が前記専用のプロファイルに準拠していない機器であると判断すると、前記指示を、前記第１の機能とは異なる当該無線機における第２の機能に関する指示と見なして、当該第２の機能の制御を行う、
ことを特徴とする請求項５ないし７のいずれかに記載の無線機。
【請求項９】
通信端末との間で近距離無線通信によるデータ通信を行うとともに前記データ通信で送受するデータをさらに他の無線機との間で無線通信する無線機が、前記通信端末との間で前記近距離無線通信を介して行う通信方法であって、
前記通信端末の操作者によって入力される前記無線機における第１の機能に関する指示を前記通信端末で受け付ける機能入力ステップと、
前記通信端末と前記無線機との間で前記データ通信を行うとともに、前記機能入力ステップで入力された前記指示を前記近距離無線通信を介して前記通信端末から前記無線機に送信する送信ステップと、
前記無線機が、受信する前記指示に基づいて当該無線機の機能の制御を行う機能制御ステップと、
を含み、
前記機能制御ステップでは、前記無線機は、前記指示を、前記第１の機能とは異なる当該無線機における第２の機能に関する指示と見なして、当該第２の機能の制御を行う、
ことを特徴とする通信方法。
【請求項１０】
前記第１の機能は、前記近距離無線通信の汎用プロファイルで規定されている機能であり、
前記第２の機能は、前記近距離無線通信の汎用プロファイルで規定されていない機能である、
ことを特徴とする請求項９に記載の通信方法。
【請求項１１】
前記通信端末は、前記無線機との間で近距離無線通信による音声通信を行う無線ヘッドセットであり、
前記データは音声データである、
ことを特徴とする請求項９または１０に記載の通信方法。
【請求項１２】
前記機能制御ステップでは、前記無線機は、前記通信端末との間の通信開始時に、前記通信端末が前記第２の機能を規定している専用のプロファイルに準拠した機器であるか否かを判断したうえで、前記通信端末が前記専用のプロファイルに準拠していない機器であると判断すると、前記指示を、前記第１の機能とは異なる当該無線機における第２の機能に関する指示と見なして、当該第２の機能の制御を行う、
ことを特徴とする請求項９ないし１１のいずれかに記載の通信方法。
【発明の詳細な説明】
【技術分野】
【０００１】
本発明は無線機装置、無線機、および通信方法に関したものであり、特には、近距離無線通信機能を有する無線機装置やこの種の無線機装置を構成する無線機やこの種の無線機装置で実行する通信方法に関する。
【背景技術】
【０００２】
従来から、無線機装置として、ＰＴＴ(Ｐｕｓｈ Ｔｏ Ｔａｌｋ)スイッチ付き無線機と、使用者の便宜が図れるＰＴＴスイッチ付きヘッドセットとを備えたものがある。この種の無線機装置においては、上記ヘッドセットを無線化してさらに利便性を高めたい、という要望がある。
【０００３】
このような要望を応えるべく、無線機装置として、ブルーツース（登録商標）通信規格等の近距離無線通信規格に準拠した無線ヘッドセットと無線機とを組み合わせたものが開発されている。
【先行技術文献】
【特許文献】
【０００４】
【特許文献１】特開２００８−１４１７４４号公報
【発明の概要】
【発明が解決しようとする課題】
【０００５】
従来から近距離無線通信を用いて音声をやり取りする汎用機器には携帯電話がある。携帯電話では、発着信や通話、音声入出力を行なうために標準化された近距離無線通信におけるプロファイルが用いられている。携帯電話と同様に、無線ヘッドセットを用いて近距離無線通信によるＰＴＴ機能を実現するためには、近距離無線通信規格にＰＴＴ機能に関するプロファイルが必要となるが、現在の近距離無線通信規格にはそのようなプロファイルはない。そのため、無線ヘッドセットと無線機とからなる無線機装置において、近距離無線通信を用いてＰＴＴ機能を実現するためには、専用のプロファイルを準備しなくてはならず、そのことがシステム設計を面倒なものにしていた。さらには、専用のプロファイルを準備できたとしても、市販のヘッドセットではそのプロファイルを扱うことができず、そのプロファイルを扱うことができる専用の無線ヘッドセットが必要となる、という問題があった。
【０００６】
そこで、本発明は、近距離無線通信においてその機能制御が規定されている第１の機能とは異なり近距離無線通信においてその機能制御が規定されていない第２の機能（ＰＴＴ機能等）をその機能の実行に必要となる専用のプロファイルを扱うことができない汎用の機器を用いて実現することを目的とする。
【課題を解決するための手段】
【０００７】
本発明の無線機装置は、
通信端末との間で近距離無線通信によるデータ通信を行うとともに、前記データ通信で送受するデータをさらに他の無線機との間で無線通信する無線機と、前記通信端末と、を備えた無線機装置であって、
前記通信端末は、
当該通信端末の操作者によって入力される前記無線機における第１の機能に関する指示を受け付ける機能入力部と、
前記無線機との間で前記データ通信を行うとともに、前記機能入力部に入力された前記指示を前記近距離無線通信を介して前記無線機に送信する通信端末側近距離無線通信モジュールと、
を備え、
前記無線機は、
前記通信端末との間で前記データ通信を行うとともに、前記近距離無線通信を介して前記指示を受信する無線機側近距離無線通信モジュールと、
前記無線機側近距離無線通信モジュールが受信する前記指示に基づいて機能の制御を行う機能制御部と、
を備え、
前記機能制御部は、前記指示を、前記第１の機能とは異なる当該無線機における第２の機能に関する指示と見なして、当該第２の機能の制御を行う。
【０００８】
本発明の無線機は、
通信端末との間で近距離無線通信によるデータ通信を行うとともに、前記データ通信で送受するデータを、さらに他の無線機との間で無線通信する無線機であって、
前記通信端末との間で前記データ通信を行うとともに、前記近距離無線通信を介して前記通信端末から当該無線機における第１の機能に関する指示を受信する無線機側近距離無線通信モジュールと、
前記無線機側近距離無線通信モジュールが受信する前記指示に基づいて機能の制御を行う機能制御部と、
を備え、
前記機能制御部は、前記指示を、前記第１の機能とは異なる当該無線機における第２の機能に関する指示と見なして、当該第２の機能の制御を行う。
【０００９】
本発明には、
前記第１の機能は、前記近距離無線通信の汎用プロファイルで規定されている  機能であり、
前記第２の機能は、前記近距離無線通信の汎用プロファイルで規定されてい  ない機能である、
という態様がある。
【００１０】
本発明には、前記通信端末は、前記無線機との間で近距離無線通信による音声通信を行う無線ヘッドセットであり、
前記データは音声データである、
という態様がある。
【００１１】
本発明には、前記機能制御部は、前記通信端末との間の通信開始時に、前記通信端末が前記第２の機能を規定している専用のプロファイルに準拠した機器であるか否かを判断したうえで、前記通信端末が前記専用のプロファイルに準拠していない機器であると判断すると、前記指示を、前記第１の機能とは異なる当該無線機における第２の機能に関する指示と見なして、当該第２の機能の制御を行う、という態様がある。
【００１２】
本発明の通信方法は、
通信端末との間で近距離無線通信によるデータ通信を行うとともに前記データ通信で送受するデータをさらに他の無線機との間で無線通信する無線機が、前記通信端末との間で前記近距離無線通信を介して行う通信方法であって、
前記通信端末の操作者によって入力される前記無線機における第１の機能に関する指示を前記通信端末で受け付ける機能入力ステップと、
前記通信端末と前記無線機との間で前記データ通信を行うとともに、前記機能入力ステップで入力された前記指示を前記近距離無線通信を介して前記通信端末から前記無線機に送信する送信ステップと、
前記無線機が、受信する前記指示に基づいて当該無線機の機能の制御を行う機能制御ステップと、
を含み、
前記機能制御ステップでは、前記無線機は、前記指示を、前記第１の機能とは異なる当該無線機における第２の機能に関する指示と見なして、当該第２の機能の制御を行う。
【００１３】
本発明の通信方法には、
前記第１の機能は、前記近距離無線通信の汎用プロファイルで規定されている機能であり、
前記第２の機能は、前記近距離無線通信の汎用プロファイルで規定されていない機能である、
という態様がある。
【００１４】
本発明の通信方法には、
前記通信端末は、前記無線機との間で近距離無線通信による音声通信を行う無線ヘッドセットであり、
前記データは音声データである、
という態様がある。
【００１５】
本発明の通信方法には、
前記機能制御ステップでは、前記無線機は、前記通信端末との間の通信開始時  に、前記通信端末が前記第２の機能を規定している専用のプロファイルに準拠  した機器であるか否かを判断したうえで、前記通信端末が前記専用のプロファ  イルに準拠していない機器であると判断すると、前記指示を、前記第１の機能  とは異なる当該無線機における第２の機能に関する指示と見なして、当該第２  の機能の制御を行う、
という態様がある。
【００１６】
上述した本発明の構成によれば、近距離無線通信のプロファイルにその機能が規定されていない第２の機能であっても、その機能に関する指示を、近距離無線通信のプロファイルに規定されている第１の機能に関する指示と見なして通信端末と無線機との間で通信したうえで、通信完了後（受信後）に、無線機において、その指示を第２機能に関する指示と解釈して、当該第２の機能の制御を行う。
【発明の効果】
【００１７】
本発明によれば、近距離無線通信の汎用プロファイルにおいてその機能制御が規定されていない第２の機能（ＰＴＴ機能等）であっても、専用のプロファイルを扱うことができない機器を用いて、その機能を実現することができる。
【図面の簡単な説明】
【００１８】
【図１】本発明の一実施形態にかかる無線機システムの構成を示すブロック図である。
【図２】実施の形態の無線機システムのデータの送受の説明に供する図である。
【発明を実施するための形態】
【００１９】
本発明の実施の形態を説明する前に、ＰＴＴ（Push To Talk）機能と、ハンズフリー機能について説明する。ＰＴＴ機能は、近距離無線通信の汎用プロファイルにその機能が規定されていない機能の一例であって、本発明における第２の機能に相当する。一方、ハンズフリー機能は、近距離無線通信の汎用プロファイルにその機能が規定されている機能の一例であって、本発明における第１の機能に相当する。ハンズフリー機能が規定されているプロファイルは、ハンズフリープロファイル（以下、ＨＦＰと称す）と称されており、本実施形態においては、ＨＦＰが上述した汎用プロファイルである。
【００２０】
以下、本発明にかかる無線機装置およびこの無線機装置で実行する通信方法を、その実施の形態を示した図面に基づいて詳細に説明する。図１に示すブロック図において、１は無線機であり、２は近距離無線通信を介して無線機１を遠隔操作する機能を有する通信端末の一例であるである無線ヘッドセットであり、３は通信端末の他の例であるデータ端末であり、１２は無線機１と無線ヘッドセット２とデータ端末３とからなる無線機装置である。
【００２１】
無線機１は、図示しない他の無線機との間で無線通信を実行する無線部６と、無線ヘッドセット２やデータ端末３との間でブルーツース通信等の近距離無線通信を行う無線機側近距離無線通信モジュール４と、無線機全体を制御するＣＰＵ５と、無線機１の操作に関する表示並びに無線機操作者による操作入力を受け付ける表示／操作部７と、無線ヘッドセット２やデータ端末３との間で近距離無線通信による送受信を行う近距離無線アンテナ８と、図示しない他の無線機との間で無線の送受信を行う無線アンテナ９とを備える。
【００２２】
無線機側近距離無線通信モジュール４は、音声データ処理機能を有しさらにＰＴＴ機能を規定したＰＴＴ専用のプロファイルに準拠した処理も、ＰＴＴ機能を規定していない汎用のプロファイル(例えば、ＨＦＰ）に準拠した各種の処理も実行可能である。無線機側近距離無線通信モジュール４は、マイクロコントロ−ルユニット（以下、ＭＣＵと称する）１０とデジタルシグナルプロセッサ（以下、ＤＳＰと称する）１１とを備える。無線機１において、ＭＣＵ１０とＤＳＰ１１とＣＰＵ５とは、機能制御部を構成する。
【００２３】
無線ヘッドセット２は、操作者の頭部に装着されて、無線機１との間で近距離無線通信を介して音声データの送受を行う機器であって、汎用のプロファイルであるＨＦＰに準拠した各種の処理を実行可能なヘッドセット側近距離無線通信モジュール２ａと、機能入力部としてのＰＴＴ（Push To Talk）スイッチ２ｂと、イヤホンまたはヘッドホン２ｃと、マイクロホン２ｄと、近距離無線アンテナ２ｅとを備える。なお、図１においては、イヤホンまたはヘッドホン２ｃの一例として片耳用ヘッドホンを図示している。
【００２４】
データ端末３は、無線機１との間で近距離無線通信を介して各種のデータの送受信を行う装置であって、汎用のプロファイルに準拠した各種の処理を実行可能な近距離無線通信モジュール３ａと、近距離無線アンテナ３ｂとを備える。
【００２５】
以上の構成を備える無線機装置１２では、ＰＴＴ機能（第２の機能）を、近距離無線通信における汎用のプロファイルであってハンズフリー機能（第１の機能）が規定されているＨＦＰを用いて実現している。ＨＦＰ（Hands−Free Profil）は、車内やヘッドセットでハンズフリー通話を実現するためのプロファイルであって、ハンズフリー通話に関する機能を実現するコマンドに加えて、通信の発信・着信機能を実現するコマンドを有する。
【００２６】
ＨＦＰにおいて、無線機１はＨＦＰで規定されるAudio Gate way（以下、ＡＧと称す）として動作し、無線ヘッドセット２はＨＦＰで規定されるHands−Free unit（以下、ＨＦと称す）として動作する。ここで、ＡＧは、ＨＦＰによる処理を行う際において、音声通話の発信や着信などを行う機能であり、ＨＦは、ＨＦＰによる処理を行う際において、ＡＧに対して音声通話の発信要求や着信応答、ハンズフリー通話などを行う機能、すなわちハンズフリー（ＨＦ）機能である。無線機１は、ＡＧ機能を有するデバイスであり、無線ヘッドセット２は、ＨＦ機能を有するデバイスである。
【００２７】
一方、無線ヘッドセット２と無線機１とからなる無線機装置１２において、ＰＴＴ機能を実現するためには、無線ヘッドセット２から無線機１に送信するコマンドとして、ＰＴＴスイッチ２ｂの押下操作を報知するPTT onと、ＰＴＴスイッチ２ｂの非押下操作（リリース操作）を報知するPTT offとが必要となる。このようなコマンドは、ＰＴＴ機能を規定しているＰＴＴ専用のプロファイルには存在するものの、ＰＴＴ機能を規定していないＨＦＰには存在しない。従来では、ＰＴＴ機能を実現するためには、無線ヘッドセットとして、ＰＴＴ機能を実現可能な専用のプロファイルに準拠するＰＴＴ専用の無線ヘッドセットが必要であった。
【００２８】
これに対して、本実施形態の無線機装置１２では、ＰＴＴ機能を実現可能なプロファイルに準拠しておらず汎用のＨＦＰにのみ準拠している無線ヘッドセット２についても、ＰＴＴ機能を実現している。具体的には、ＨＦＰにおけるAT＋BVRAコマンドやAT＋BLDNコマンドやAT＋CHUPコマンドを用いてＰＴＴ機能を実現している。
【００２９】
そこで無線ヘッドセット２（具体的には、ヘッドセット側近距離無線通信モジュール２ａ）では、PTT onとして、ＨＦＰにおけるコマンド（AT＋BVRA＝1またはAT＋BLDN）を代用する。AT＋BVRA＝1は、ＨＦＰにおける音声認識開始要求時に送信するコマンドである。AT＋BLDNは、ＨＦＰにおいて最後に発信した番号へのリダイヤル要求時に送信するコマンドである。無線ヘッドセット２は、PTT onを送信する際には、これに代わって、AT＋BVRA＝1またはAT＋BLDNを無線機１に送信する処理を行う。
【００３０】
また、無線ヘッドセット２（具体的には、ヘッドセット側近距離無線通信モジュール２ａ）では、PTT offとして、ＨＦＰにおけるコマンド（AT＋BVRA＝0またはAT＋CHUP）を代用する。AT＋BVRA＝0は、ＨＦＰにおける音声認識をオフ（キャンセル）する際に送信するコマンドである。AT＋CHUPは、ＨＦＰにおいて終話（通話の切断）を指示する際に送信するコマンドである。ヘッドセット側近距離無線通信モジュール２ａは、PTT offを送信する際には、これに代わって、AT＋BVRA＝0またはAT＋CHUPを無線機１に送信する処理を行う。
【００３１】
無線機１（具体的には、無線機側近距離無線通信モジュール４）では、無線ヘッドセット２からコマンド（AT＋BVRA＝1またはAT＋BLDN）、（AT＋BVRA＝0またはAT＋CHUP）を受信すると、これらのコマンドを、PTT onまたはPTT offとして読み替える。すなわち、無線機側近距離無線通信モジュール４は、AT＋BVRA＝1またはAT＋BLDNのコマンドを受信すると、これらのコマンドを、ＰＴＴスイッチ２ｂの押下操作を報知するコマンド（PTT on）として解釈する。同様に、無線機側近距離無線通信モジュール４は、AT＋BVRA＝0またはAT＋CHUPのコマンドを受信すると、これらのコマンドを、ＰＴＴスイッチ２ｂの非押下操作（リリース操作）を報知するコマンド（PTT on）として解釈する。
【００３２】
図２を参照して、無線機装置１２によって実行する通信方法を詳細に説明する。まず、最初に、無線機１と無線ヘッドセット２とを、近距離無線通信規格に準じて接続する際には、両機相互に接続相手先を登録しておく必要がある。この登録は、近距離無線通信規格においてペアリングと呼ばれるパスキー（ＰＩＮコード）を両機で交換することにより行われる。ペアリングに成功することでリンクキーが作られる。このリンクキーは、近距離無線通信モジュール４とヘッドセット側近距離無線通信モジュール２ａとにおいてそれぞれ保存される。ペアリングは、無線機１と無線ヘッドセット２とを互いに通信可能な距離に配置したうえで、両機を「ペアリングモード」にする、という処理を行うのが一般的である。両機がペアリングモードになると、両機双方においてペアリングの設定が自動的に行なわれ、その結果、近距離無線通信による無線接続が開始される。
【００３３】
ペアリングでは、ＰＩＮコード（パスキー、ＰＩＮキーともいう）を入力し、これを元にして固有のリンクキーを生成する。以降は、このリンクキーによって通信が可能となる。通信可能距離に無線機１と無線ヘッドセット２とが位置していれば、両機はリンクキーによってペアリング相手として認識することができる。また、一度ペアリングが行われた装置同士では、双方においてリンクキーが保存されるので、ペアリング成功以降はわざわざペアリングをする必要は原則として無い。このペアリンクの時に、無線機１では、ペアリングを完了した無線ヘッドセット２が、ＰＴＴ機能を規定した専用のプロファイルに準拠するＰＴＴ専用のヘッドセットであるのか、ＰＴＴ機能を規定していない汎用のプロファイルであるＨＦＰに準拠したヘッドセットであるのかを認識する。この認識は、無線機側近距離無線通信モジュール４もしくはＣＰＵ５によって行われ、この認識に基づき、無線機側近距離無線通信モジュール４とＣＰＵ５とは、今回ペアリングした無線ヘッドセット２は、ＰＴＴ機能の制御をＨＦＰに置き換えて実施する無線ヘッドセットであるとみなし、以降、無線ヘッドセット２から受信するＨＦＰのコマンドを、ＰＴＴ機能の制御指示を含んだコマンドであると解釈して処理を行う。
【００３４】
以下、図２を参照して説明する。無線機１と無線ヘッドセット２とのペアリングが完了した後、無線機装置１２において、図示しない他の無線機との間で音声通信を行う場合、ユーザは、まず、無線ヘッドセット２のＰＴＴスイッチ２ｂを押下する。ＰＴＴスイッチ２ｂが押下されると、ヘッドセット側近距離無線通信モジュール２ａは、コマンド（AT＋BVRA＝1またはAT＋BLDN）を発行し、近距離無線アンテナ２ｅを介して無線機1に対してコマンドを送信する。コマンド（AT＋BVRA＝1）とコマンド（AT＋BLDN）とのうちのどちらが発行されるかは、無線ヘッドセット２の仕様に依存する。
【００３５】
無線機１では、近距離無線アンテナ８を介して上述したコマンドを受信すると、受信したコマンドを、無線機側近距離無線通信モジュール４のＭＣＵ１０またはＤＳＰ１１で解釈する。ＭＣＵ１０またはＤＳＰ１１は、受信したコマンドがAT＋BVRA＝1またはAT＋BLDNであると認識した場合、ＣＰＵ５に対してコマンド（AT＋BVRA＝1またはAT＋BLDN）を受信したことを通知する。この通知を受け取ったＣＰＵ５は、ＰＴＴスイッチ２ｂが押下されたと解釈して、無線部６に送信命令を送出する。無線部６は、ＣＰＵ５からの送信命令に基づき、周波数を送信周波数に設定する。音声データは、近距離無線アンテナ２ｅを介して無線ヘッドセット２から送信される。送信された音声データは無線機1の近距離無線アンテナ８によって受信される。無線機１で受信された音声データは、必要に応じて無線機側近距離無線通信モジュール４のＭＣＵ１０で音声処理を施された後、アナログの音声データとして無線部６に入力される。無線部６は、入力されたアナログの音声データに変調を施し、さらに変調した音声データを設定した送信周波数で無線アンテナ９から送信する。送話が終わると、ユーザは、無線ヘッドセット２のＰＴＴスイッチ２ｂを非押圧操作（リリース）する。ＰＴＴスイッチ２ｂが非押圧操作（リリース）されると、ヘッドセット側近距離無線通信モジュール２ａは、コマンド（AT＋BVRA＝0またはAT＋CHUP）を発行し、発行したコマンドを、近距離無線アンテナ２ａを介して無線機1に対して送信する。コマンド（AT＋BVRA＝0）とコマンド（AT＋CHUP）とのうちのどちらが発行されるかは、無線ヘッドセット２の仕様に依存する。
【００３６】
無線機１では、近距離無線アンテナ８を介して上述したコマンドを受信すると、受信したコマンドを、無線機側近距離無線通信モジュール４のＭＣＵ１０またはＤＳＰ１１で解釈する。ＭＣＵ１０またはＤＳＰ１１は、受信したコマンドがAT＋BVRA＝0またはAT＋CHUPであると認識した場合、ＣＰＵ５に対してコマンド（AT＋BVRA＝0またはAT＋CHUP）を受信したことを通知する。この通知を受け取ったＣＰＵ５は、ＰＴＴスイッチ２ｂが非押圧操作（リリース）されたと解釈し、無線部６に送信終了命令を送出する。無線部６は、ＣＰＵ５からの送信終了命令に基づき、送信処理を終了し、周波数を受信周波数に設定して待受け状態となる。
【００３７】
汎用のＨＦＰに準拠した種々の無線ヘッドセットからの操作指示を問題なく受け付けられるようにするため、無線機１では、ＰＴＴ機能を実現するコマンドであるPTT onとPTT offとについて、それぞれ２つのＨＦＰのコマンドによってPTT on／PTT offを認識するようにしている。すなわち、汎用のＨＦＰに準拠した無線ヘッドセットは、ＨＦＰにおけるコマンド（AT＋BVRA＝1（AT＋BVRA＝0）またはコマンドAT＋BLDN（AT＋CHUP）のいずれか一方または両方をサポートしているため、無線機１では、前述のようにそれぞれ２つのコマンドを、ＰＴＴスイッチ２ｂが押圧操作または非押圧（リリース）操作されたことを示すコマンドであると解釈するようにしたことで、汎用のＨＦＰに準拠したどのような無線ヘッドセットとペアリングした場合であっても、ペアリングした無線ヘッドセット２から送られてくるコマンドによってPTT on／PTT offを認識して制御することができる。
【００３８】
上述した実施形態では、無線機１に近距離無線通信で接続される機器を無線ヘッドセット２として説明しているが、本発明では、無線機１に近距離無線通信で接続される機器は無線ヘッドセットに限定されず、近距離無線通信で接続される機器であればどのような機器であってもよく、無線機１は、その機器を介して第２の機能を実現することができる。例えば、無線機１は、データ端末３を介して第２の機能を実現することができる。
【符号の説明】
【００３９】
１  無線機
２  無線ヘッドセット
２ａ  近距離無線通信モジュール
２ｂ  ＰＴＴスイッチ
２ｃ  イヤホンまたはヘッドホン
２ｄ  マイクロホン
２ｅ  近距離無線アンテナ
３  データ端末
３ａ  近距離無線通信モジュール
３ｂ  近距離無線アンテナ
４  近距離無線通信モジュール
５  ＣＰＵ
６  無線部
７  表示／操作部
８  近距離無線アンテナ
９  無線アンテナ
１０  ＭＣＵ
１１  ＤＳＰ
１２  無線機装置
【図１】
2015177228.tif 000003
【図２】
2015177228.tif 000004